【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
画像が形成される記録材を搬送するための搬送体と、
前記搬送体によって搬送される記録材の両側に設けられた一対の側板と、
前記一対の側板を連結する連結部材と、
装置の底に設けられた底板と、
を有する画像形成装置において、
前記一対の側板はそれぞれ、互いに対向する第１面部と、前記第１面部とは異なる第２面部と、前記第１面部及び前記第２面部とは異なる第３面部を備え、
前記連結部材は前記一対の側板それぞれの前記第１面部に組み付けられ、
前記搬送体は前記一対の側板それぞれの前記第２面部に組み付けられ、
前記底板は前記一対の側板それぞれの前記第３面部に組み付けられていることを特徴とする画像形成装置。
【請求項２】
前記搬送体は記録材を搬送するためのローラを有することを特徴とする請求項１記載の画像形成装置。
【請求項３】
前記ローラは記録材に画像を転写するための転写ローラであることを特徴とする請求項２に記載の画像形成装置。
【請求項４】
記録材を供給する記録材供給手段と、
画像を記録材に定着する定着手段と、
を有し、
前記搬送体は前記記録材供給手段から前記定着手段まで渡っていることを特徴とする請求項１に記載の画像形成装置。
【請求項５】
前記搬送体は、締結部材によって前記一対の側板の前記第２面部に組み付けられていることを特徴とする請求項１に記載の画像形成装置。
【請求項６】
前記搬送体、前記連結部材、前記底板は、前記一対の側板に対して、それぞれ異なる方向から組み付けられることを特徴とする請求項１に記載の画像形成装置。
【請求項７】
前記搬送体は樹脂製であり、前記一対の側板、前記連結部材、前記底板は金属製であることを特徴とする請求項１に記載の画像形成装置。
【請求項８】
前記搬送体は略鉛直方向に配置されていることを特徴とする請求項１に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】００１８
【補正方法】変更
【補正の内容】
【００１８】
本発明は上記実情に鑑みてなされたもので、その解決しようとする課題は、画像形成装置の骨格となるメインフレームの強度を保持しつつ画像形成装置のメンテナンスや修理を行い易くできる技術を提供することを目的とする。
【手続補正４】
【補正対象書類名】明細書
【補正対象項目名】００１９
【補正方法】変更
【補正の内容】
【００１９】
そのために本発明の画像形成装置は次の手段を採用する。
【手続補正５】
【補正対象書類名】明細書
【補正対象項目名】００２０
【補正方法】変更
【補正の内容】
【００２０】
すなわち、本発明の画像形成装置は、画像が形成される記録材を搬送するための搬送体と、前記搬送体によって搬送される記録材の両側に設けられた一対の側板と、前記一対の側板を連結する連結部材と、装置の底に設けられた底板と、
を有する画像形成装置において、前記一対の側板はそれぞれ、互いに対向する第１面部と、前記第１面部とは異なる第２面部と、前記第１面部及び前記第２面部とは異なる第３面部を備え、前記連結部材は前記一対の側板それぞれの前記第１面部に組み付けられ、前記搬送体は前記一対の側板それぞれの前記第２面部に組み付けられ、前記底板は前記一対の側板それぞれの前記第３面部に組み付けられていることを特徴とするものである。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】変更
【補正の内容】
【００３４】
本発明によれば、画像形成装置の骨格となるフレームの強度を保持しつつ画像形成装置のメンテナンスや修理を行い易くできる。
【手続補正２０】
【補正対象書類名】明細書
【補正対象項目名】００４９
【補正方法】変更
【補正の内容】
【００４９】
さらに、図２に示すように、メインフレームＦは、搬送体２２の両側に対向状態で配置される一対でかつ板金製の左右の側板２０，２１と、前記した給紙ローラ２、搬送ローラ３ａ，３ｂ及び転写手段９を保持しかつ樹脂製で前記搬送路Ｒを成す搬送体２２と、搬送体２２と対向する側に位置し、前記側板２０、２１を連結する連結部材として機能する、板金製で前記レーザースキャナ５を保持する光学ステー２３と、板金製で給紙トレイ１が取り付けられる矩形状の底板２４との５部品を結合して構成される。また、搬送体２２は、絶縁樹脂製であり、側板２０、２１の第２面部である端部に組み付けられるとともに搬送体２２は底板２４に対し鉛直方向に配置される。
【手続補正２１】
【補正対象書類名】明細書
【補正対象項目名】００５０
【補正方法】変更
【補正の内容】
【００５０】
図２に示すように光学ステー２３を左右の側板２０，２１の第１面部である側面に設けた位置決め穴２０ａ，２１ａに突起２３ａを嵌合させ、側面よりネジ２３ｂを螺着するこ
とで、光学ステー２３が底板２４に対して平行状態で左右の側板２０，２１に固定される。これにより図３における左右の側板２０，２１の手前上部のスパンが決まる。
【手続補正２２】
【補正対象書類名】明細書
【補正対象項目名】００５１
【補正方法】変更
【補正の内容】
【００５１】
そして図３に示すように左右の側板２０，２１の第３面部である下面にそれぞれ設けた位置決め突起２０ｂ１、２０ｂ２および位置決め突起２１ｂ１、２１ｂ２をそれぞれ底板２４の左右に設けた位置決め穴２４ａ１，長穴２４ｂ１および位置決め穴２４ａ２，長穴２４ｂ２に嵌合し、この状態でネジ２４ｃを螺着する。これにより左右の側板２０，２１の下側でのスパンが保持されるとともに側板２０，２１が、平行状態で底板２４から立設する。